(57)【要約】      （修正有）【課題】移動局とホームネットワーク情報との集中記憶装置を用いて、移動局に関連付けられたホームネットワークキャリアを決定し、移動局へのサービスの提供を許可するシステム及び方法を提供する。【解決手段】ローミングしている移動局が、サービスへのアクセスを試みた時、移動局のための識別情報が、ローカルサーバによって使用され、移動局のマッピングを格納している集中ＤＮＳサーバに対して、対応するホームネットワークに対する識別情報が問い合わされる。集中ＤＮＳサーバは、ローミングしているモバイルユーザのホームネットワークの識別を返し、そして、ホームネットワークは、移動局のローカルネットワークへのアクセスを許可するか、拒否するかを決定する。移動局識別情報は、例えばＭＩＮ、ＩＲＭ、又はＩＭＳＩのように、集中ＤＮＳサーバに対する問い合わせのためのアドレスの一部として機能するＭＳＩＤを含む。【選択図】図２
2011130455.tif 000002
【特許請求の範囲】
【請求項１】
移動局によるローカルネットワークへのローミングアクセスに対する要求を受信することと、
遠隔集中サーバにアクセスし、前記移動局に関連付けられたホームネットワークを決定することと、
前記移動局に関連付けられたホームネットワークの決定に少なくとも部分的に基づいて、前記移動局による前記ローカルネットワークへのアクセスを許可又は拒否することとを含む方法。
【請求項２】
ローカル遠隔認証ダイヤルインユーザサービス（ＲＡＤＩＵＳ）サーバ内で実施される請求項１に記載の方法。
【請求項３】
ビジターロケータレジスタ（ＶＬＲ）内で実施される請求項１に記載の方法。
【請求項４】
前記遠隔集中サーバにアクセスすることは、集中化されたドメイン名サーバ（ＤＮＳ）に問い合わせることを含む請求項１に記載の方法。
【請求項５】
前記集中化されたドメイン名サーバに問い合わせることは、前記集中化されたドメイン名サーバへの配信のために、問い合わせをフォーマットすることを含み、前記問い合わせは、前記移動局に関連付けられた識別情報を含む請求項４に記載の方法。
【請求項６】
前記識別情報は、移動局識別番号（ＭＳＩＤ）を含む請求項５に記載の方法。
【請求項７】
前記移動局識別番号は、モバイル識別番号（ＭＩＮ）、国際ローミングモバイル識別番号（ＩＲＭ）、及び国際移動電話加入者識別番号（ＩＭＳＩ）からなるグループから選択される請求項６に記載の方法。
【請求項８】
対応する移動局ユーザが、ローミング合意によって、前記ローカルネットワークへアクセスする許可を持っている一つ又は複数のネットワークの中に、前記移動局に関連付けられたホームネットワークがあるのかを判定することを更に含む請求項１に記載の方法。
【請求項９】
前記移動局に関連付けられたホームネットワークに関連付けられた遠隔認証ダイヤルインユーザサービス（ＲＡＤＩＵＳ）サーバに問い合わせを行い、前記移動局が前記ローカルネットワークにアクセスすることが許可されたかを判定することを更に備えた請求項１に記載の方法。
【請求項１０】
前記遠隔集中サーバにアクセスすることに応答して受け取られた情報をキャッシュすることを更に含む請求項１に記載の方法。
【請求項１１】
ホームネットワークと、前記ホームネットワークと移動局との関連付けとに関する情報を含む集中データベースを保持することと、
前記集中データベースを複数のローカルサーバに接続することと、
前記複数のローカルサーバのうちの一つから問い合わせを受け取ることであって、前記問い合わせは、前記ローカルサーバに関連付けられたローカルネットワークへのアクセスを要求する第一の移動局に関連付けられた識別情報を含むことと、
前記第一の移動局に関連付けられたホームネットワークを識別することと
を含む方法。
【請求項１２】
前記ホームネットワークと、前記ホームネットワークと移動局との関連付けとに関する情報は、一つ又は複数の移動局に関連付けられた識別情報の、前記一つ又は複数の移動局に関連付けられた一つ又は複数のホームネットワークへのマッピングを含む請求項１１に記載の方法。
【請求項１３】
前記移動局に関連付けられた識別情報の前記ホームネットワークへのマッピングは、移動局識別番号（ＭＳＩＤ）のホームネットワークへのマッピングを含む請求項１２に記載の方法。
【請求項１４】
前記移動局識別番号（ＭＳＩＤ）は、モバイル識別番号（ＭＩＮ）、国際ローミングモバイル識別番号（ＩＲＭ）、及び国際移動電話加入者識別番号（ＩＭＳＩ）からなるグループから選択される請求項１３に記載の方法。
【請求項１５】
一つ又は複数の追加ローカルサーバからの問い合わせを受け取ることであって、前記問い合わせは、前記追加ローカルサーバに関連付けられた一つ又は複数の追加ローカルネットワークへのアクセスを要求する一つ又は複数の追加移動局に関連付けられた識別情報を含むことと、
前記追加移動局に関連付けられた一つ又は複数の追加ホームネットワークを識別することと
を含む請求項１１に記載の方法。
【請求項１６】
ローカルネットワークに関連付けられたローカルサーバを備え、
前記ローカルサーバは、
前記ローカルネットワークへのローミングアクセスに対する移動局による要求を受け取り、遠隔集中サーバにアクセスし、前記移動局に関連付けられているホームネットワークを判定し、
前記移動局に関連付けられたホームネットワークの識別に少なくとも部分的に基づいて、前記移動局による前記ローカルネットワークへのアクセスを許可又は拒否する
ように構成された装置。
【請求項１７】
前記ローカルサーバは、遠隔認証ダイヤルインユーザサービス（ＲＡＤＩＵＳ）サーバを備えた請求項１６に記載の装置。
【請求項１８】
前記ローカルサーバは、ビジターロケータレジスタ（ＶＬＲ）を備えている請求項１６に記載の装置。
【請求項１９】
前記ローカルサーバは、ドメイン名サーバ（ＤＮＳ）問い合わせを生成し、前記問い合わせを、集中化されたドメイン名サーバへ送信するように構成されている請求項１６に記載の装置。
【請求項２０】
前記ローカルサーバは、前記移動局に関連付けられた識別情報を含めるように、前記ドメイン名サーバ問い合わせをフォーマットするように構成された請求項１９に記載の装置。
【請求項２１】
前記識別情報は、移動局識別番号（ＭＳＩＤ）を含む請求項２０に記載の装置。
【請求項２２】
前記移動局識別番号は、モバイル識別番号（ＭＩＮ）、国際ローミングモバイル識別番号（ＩＲＭ）、及び国際移動電話加入者識別番号（ＩＭＳＩ）からなるグループから選択される請求項２１に記載の装置。
【請求項２３】
前記ローカルサーバは、ローミング合意情報を格納するように構成されたローカル記憶装置を更に備え、
前記ローカルサーバは、対応する移動局ユーザが、ローミング合意によって、前記ローカルネットワークへアクセスする許可を持っている一つ又は複数のネットワークの中に、前記移動局に関連付けられたホームネットワークがあるのかを判定するように構成された請求項１６に記載の装置。
【請求項２４】
前記ローカルサーバは、前記移動局に関連付けられた前記ホームネットワークに関連付けられた遠隔認証ダイヤルインユーザサービス（ＲＡＤＩＵＳ）サーバに接続されており、
前記ローカルサーバは、前記遠隔認証ダイヤルインユーザサービス（ＲＡＤＩＵＳ）サーバに問い合わせを行い、前記移動局が前記ローカルネットワークへアクセスすることが許可されたのかを判定するように構成された請求項１６に記載の装置。
【請求項２５】
前記ローカルサーバは、前記遠隔集中サーバにアクセスすることに応答して受け取られた情報をキャッシュするように構成されたローカル記憶装置を更に備えた請求項１６に記載の装置。
【請求項２６】
ホームネットワークと、前記ホームネットワークと移動局との関連付けとに関する情報を含む集中データベースを保持することと、
複数のローカルサーバから問い合わせを受け取ることであって、前記問い合わせの各々は、対応するローカルサーバに関連付けられた対応するローカルネットワークへのアクセスを要求する移動局に関連付けられた識別情報を含むことと、
前記問い合わせで識別された移動局に関連付けられたホームネットワークを識別することと
を行うように構成された集中サーバを備えた装置。
【請求項２７】
前記集中サーバは、一つ又は複数の移動局に関連付けられた識別情報の、前記一つ又は複数の移動局に関連付けられた一つ又は複数のホームネットワークへのマッピングを格納するように構成された請求項２６に記載の装置
【請求項２８】
前記移動局に関連付けられた識別情報の前記ホームネットワークへのマッピングは、移動局識別番号（ＭＳＩＤ）のホームネットワークへのマッピングを含む請求項２７に記載の装置。
【請求項２９】
前記移動局識別番号は、モバイル識別番号（ＭＩＮ）、国際ローミングモバイル識別番号（ＩＲＭ）、及び国際移動電話加入者識別番号（ＩＭＳＩ）からなるグループから選択される請求項２８に記載の装置。
【発明の詳細な説明】
【技術分野】
【０００１】
本願発明は、一般に、無線通信システムに関し、特に、ローカルネットワークへのアクセスを試みているローミングしている移動局のホームネットワークキャリアを決定するための方法に関する。
【背景技術】
【０００２】
無線デバイスの普及が進むにつれ、モバイルユーザは、しばしば、自分たちが、自分たちのホームネットワークプロバイダ、すなわちホームネットワークキャリアとは別のサービスプロバイダからのサービスを要求していることに気付く。産業界は、ホームエリアの外部にいる間、モバイルユーザにサービスを提供するために、ローミング合意を導入することによってこの状況に追従してきた。そして、ローカルネットワークは、それぞれ、どのホームネットワークがローミングユーザに関連付けられているのかと、どのホームネットワークが異なるローミング合意によってカバーされているのかを識別するために使用することができる（例えば、ルックアップテーブル内の）情報を保持する。
【０００３】
モバイルユーザが、自分たちのホームネットワークの制限の外のエリア内のサービスを必要とする時、彼らは、ローカルネットワークにコンタクトして、サービスを要求する。この要求は、しばしば、ホームネットワークによって提供されたパスワード、及びユーザ名を含む。このユーザ名とパスワードは、例えば、全部ではないが、同じホームネットワークキャリア内の多くのユーザに共通して利用可能なユーザ名でよい。モバイルユーザからの要求を受信すると、ローカルネットワークは、そのローカルに格納された情報を用いて、ホームネットワークのどれがユーザに関連付けられているか、及び、その関連付けに基づいて、このユーザがサービスを許可されるべきかを判定する。これは、サービスに対するユーザ要求におけるユーザ名及びパスワードを、ホームネットワークの情報とともに格納された許可情報に対してチェックすることを含む。
【０００４】
この取り決めは、全てのホームネットワークのための情報のローカル記憶装置を設定することの初期費用のみならず、ローカルネットワークの各々における情報を保持する繰り返し発生する費用をも必要とする。例えば、キャリアＡに関連付けられた情報（例えば、ローミング合意の状況、ユーザ名、パスワード等）が変わる時、ネットワークＡに関連付けられたユーザが、ローカルネットワークのうちの一つに関連付けられたエリア内にローミングする場合、この情報は、ローカルネットワークのそれぞれにおいて更新されねばならない。ネットワーク情報を更新する過程における遅延又は誤りは、モバイルユーザに対するサービスの拒否をもたらす。モバイルユーザは、別のやり方でローカルネットワークへのアクセスが許可されるべきである。これは、モバイルユーザを苛立たせ、ローカルネットワークキャリア及びホームネットワークキャリア両方の利益喪失という結果になる。
【０００５】
ローカルネットワークのそれぞれにおいて同一のホームネットワーク情報を保持することの困難さが、規模拡大によって悪化することは明白である。もしも更にホームネットワークがあるのであれば、各ローカルネットワークにおいて保持されねばならない情報が更に存在する。もしも更にローカルネットワークがあるのであれば、全てのローカルネットワークにおける情報を維持することの困難さが、悪化する。（特定のモバイルユーザを持つ各ネットワークの関係に依存して、与えられたネットワークは、ローカルネットワーク又はホームネットワークでありうることが気付かれる。）
従って、当該技術分野では、従来のシステム及び方法の欠点を被っていないローカルネットワークへの、ローミングしているモバイルユーザによるアクセスを許可するためのシステム及び方法に対するニーズがある。
【発明の概要】
【０００６】
本特許出願は、２００３年９月１５日に出願され、"Using the DNS for Home Carrier Determination Based on the MSID Prefix"と題され、本願の譲受人に譲渡され、本願に引用して援用している米国特許仮出願６０／５０３，１９４号の優先権を主張する。
【０００７】
ここで開示された実施例は、上述した必要性に対して、移動局に関連付けられたホームネットワークキャリアを決定し、移動局へのサービスの提供を許可するシステム及び方法を提供することによって対処する。大雑把に言えば、これは、ローカルネットワークの各々に従来格納されているホームネットワーク情報を、集中化することによって達成される。そして、ローカルネットワークは、ローミングしているユーザによるローカルサービスへのアクセスを許可するために、ローカルに格納され保持された情報にアクセスするのではなく、集中して格納された情報にアクセスする。
【０００８】
一つの実施例は、例えばＲＡＤＩＵＳサーバ又はＶＬＲのようなローカルサーバ内で実現される方法を含む。この方法は、移動局によるローカルネットワークへのローミングアクセスに対する要求を受信することと、遠隔の集中サーバにアクセスし、この移動局に関連付けられたホームネットワークを識別することと、どのホームネットワークが移動局に関連付けられているかに少なくとも部分的に基づいて、移動局によるローカルネットワークへのアクセスを許可又は拒否することとを含む。
【０００９】
別の実施例は、例えばＤＮＳサーバのような集中サーバ内で実施される方法であって、ホームネットワークを移動局に関連付けている情報を含む集中データベースを保持することと、前記集中データベースを幾つかのローカルサーバに接続することと、前記ローカルサーバのうちの一つから、前記ローカルサーバに関連付けられたローカルネットワークへのアクセスを希望する第一の移動局を識別する問い合わせを受け取ることと、前記第一の移動局に関連付けられたホームネットワークを識別することとを含む。
【００１０】
別の実施例は、ローカルネットワークに関連付けられたローカルサーバを含んでいる。このローカルサーバは、ローカルネットワークへのローミングアクセスに対する移動局による要求を受け取り、遠隔集中サーバにアクセスし、どのホームネットワークが前記移動局に関連付けられているのかを判定し、前記移動局に関連付けられたホームネットワークの識別に基づいて、前記移動局による前記ローカルネットワークへのアクセスを許可又は拒否するように構成されている。
【００１１】
更に別の実施例は、ホームネットワークを移動局にマッピングする情報を備えた集中データベースを保持し、対応するローカルサーバに関連付けられたローカルネットワークへのアクセスを要求している移動局を識別する情報を含む問い合わせをローカルサーバから受け取り、前記問い合わせで識別された移動局に関連付けられたホームネットワークを識別するように構成された集中サーバを備えている。
【００１２】
多くの更なる代替実施例も可能である。
【図面の簡単な説明】
【００１３】
【図１】図１は、従来技術の無線ローカルネットワークの概要図である。
【図２】図２は、本発明の一つの実施例である遠隔集中サーバと通信するローカル無線ネットワークの概要図である。
【図３】図３は、本発明の別の実施例である遠隔集中サーバと通信するローカル無線ネットワークの概要図である。
【図４Ａ】図４Ａは、本発明の一つの実施例である遠隔集中サーバに対する問い合わせを構築するために使用される移動局ＩＤから取得されたたデータビットアレイの概要図である。
【図４Ｂ】図４Ｂは、本発明の一つの実施例である遠隔集中サーバに対する問い合わせを構築するために使用される移動局ＩＤから取得されたたデータビットアレイの概要図である。
【図４Ｃ】図４Ｃは、本発明の一つの実施例である遠隔集中サーバに対する問い合わせを構築するために使用される移動局ＩＤから取得されたたデータビットアレイの概要図である。
【図４Ｄ】図４Ｄは、本発明の一つの実施例である遠隔集中サーバに対する問い合わせを構築するために使用される移動局ＩＤから取得されたたデータビットアレイの概要図である。
【図５】図５は、本発明の一つの実施例である遠隔集中サーバと通信する複数のローカルキャリアの概要図である。
【発明を実施するための形態】
【００１４】
本発明の様々な局面及び特徴が、以下に示す詳細図面及び、図面に対する言及によって明らかにされる。
【００１５】
本発明は、種々の変形例及び代替形態によるが、この具体的な実施例は、図面及び、詳細説明内で、一例として示される。しかしながら、図面および詳細説明は、本発明を、説明された具体的な実施例に限定することを意図するものではないものと理解されるべきである。
【００１６】
本発明の一つ又は複数の実施例を以下に説明する。以下に記述した実施例又はその他任意の実施例は、典型例であって、限定するのではなく、発明を例示することが意図されていることが気付かれるべきである。
【００１７】
ここで説明しているように、本発明の種々の実施例は、移動局に関連付けられたホームネットワークキャリアを決定し、前記移動局へのサービスの提供を許可する方法及びシステムを含む。大雑把に言えば、これは、ローカルネットワークの各々に従来から格納されているホームネットワーク情報を集中することによって達成される。そして、このローカルネットワークは、ローミングユーザによるローカルサービスへのアクセスを許可するために、ローカルに格納され保持された情報ではなく、集中的に格納された情報にアクセスする。
【００１８】
一つの実施例では、ローミングモバイルユーザが、（例えば、ＣＤＭＡ無線通信システムのような）無線アクセスネットワークを経由してパケットデータサービングノードと通信することによって、（例えば、インターネットアクセスのような）ローカルサービスへのアクセスを試みる。このパケットデータサービングノードは、要求されたサービスをローミングユーザに提供するための許可を得るために、認証サーバに対して要求を送る。このモバイルユーザのサービスに対する要求は、このユーザのモバイルデバイスを識別する情報を含む。この識別情報は、認証サーバに送られる。認証サーバは、このモバイルユーザに関連付けられたホームネットワークを決定するように遠隔集中サーバに問い合わせる。遠隔集中サーバは、このユーザのホームネットワークを識別する応答（例えば、ホームネットワークキャリアドメイン名）を返す。そして、このホームネットワーク情報は、このモバイルユーザが、要求したサービスへのアクセスが許可されるのかを判定するために認証サーバによって使用される。
【００１９】
図１には、従来技術によるローカルネットワークシステムと通信するローミング無線移動局の概要図が示されている。この従来システムでは、ローミングしている移動局１１０のユーザは、サービスを得るために、ローカルネットワークにアクセス（例えば、インターネットアクセス）することを望んでいるかもしれない。移動局１１０は、無線アクセスネットワーク（ＲＡＮ）１１５を経由して通信し、パケットデータサービスノード（ＰＤＳＮ）１３０との通信リンクを確立する。一旦通信リンクが確立されると、ユーザ名／パスワード１２０が、パスワード認証プロトコル（ＰＡＰ）を用いてＰＤＳＮ１３０に通信される。これは、サービスを移動局１１０に提供する前にユーザがＰＤＳＮ１３０によって認証されるようになされる。
【００２０】
ＰＤＳＮ１３０は、遠隔認証ダイヤルインユーザサービス（ＲＡＤＩＵＳ）要求１４０を生成し、この要求を、ローカルＲＡＤＩＵＳサーバ１５０に転送する。ローカルＲＡＤＩＵＳサーバ１５０は、ユーザ名／パスワードを認証する。このローカルＲＡＤＩＵＳサーバ１５０は、データベース１５５を含む。データベース１５５は、ローミングユーザがローカルネットワークを経由してサービスにアクセスすることを試みるこれらホームネットワークに関する情報を格納する。この情報は、通常、ローカルネットワークへのアクセスを要求したローミング移動局に関連付けられたホームネットワークを識別するためのテーブル又はその他の情報を含んでいる。
【００２１】
ホームネットワーク移動局１１０が関連付けられているローカルＲＡＤＩＵＳサーバ１５０が決定された後、要求されたサービスへのアクセスが移動局１１０に与えられるべきか否かが判定される。これは、移動局１１０によって与えられたユーザ名／パスワードを、ホームネットワークに関連付けられたユーザ名／パスワードと比較することによってなされる。ホームネットワークのユーザ名／パスワードは、ＲＡＤＩＵＳサーバ１５０に格納されうる。あるいは、ＲＡＤＩＵＳサーバ１５０が、問い合わせを作成し、この問い合わせを、移動局１１０のホームネットワークに関連付けられたホームＲＡＤＩＵＳサーバ（図示せず）に転送することができる。
【００２２】
ユーザ名／パスワードの比較に基づいて、ＲＡＤＩＵＳサーバ１５０は、移動局１１０を認証する。ユーザ名／パスワードが、ローカルＲＡＤＩＵＳサーバ１５０によって、又はホームＲＡＤＩＵＳサーバによって認証されるか関わらず、ＲＡＤＩＵＳアクセス受諾メッセージ１６０がＰＤＳＮ１３０に転送される。ＰＤＳＮ１３０は、ＲＡＤＩＵＳアクセス受諾メッセージへの応答として、ＰＡＰアクノレッジメント１７０を移動局１１０に転送する。そして、移動局１１０は、要求されたサービスへのアクセスが許可される。
【００２３】
上述したプロセス、ＰＰＰレベルにおける故障、又はＰＤＳＮ１３０からの応答における遅延の間、ローカルＲＡＤＩＵＳサーバ１５０又はホームＲＡＤＩＵＳサーバは、移動局１１０に対するサービスを拒否する。
【００２４】
上述したように、従来技術は、各ローカルＲＡＤＩＵＳサーバ１５０が、多くのその他のネットワーク、特にローカルネットワークが参加しているその他全てのキャリアのための情報を含むデータベース（又はその他の同じデータ構造）を保持することを必要としている。上で指摘されたように、この構成は、追加のオーバヘッド、データベース内に含まれるデータ及び機器両方のメンテナンス、等の観点から高価である。
【００２５】
本発明の種々の実施例の説明に進む前に、多くの用語を定義することが有益であるかもしれない。これらの用語は、  
ＢＳ−基地局、  
ＣＤＧ−ＣＤＭＡ開発グループ、  
ＣＤＭＡ−符号分割多元接続、  
ＤＮＳ−ドメインネームシステム、  
ＨＬＲ−ホームロケータレジスタ、  
ＩＭＳＩ−国際移動電話加入者識別番号、  
ＩＲＭ−国際ローミングＭＩＮＭＩＮ−モバイル識別番号、  
ＭＳ−移動局、  
ＭＳＣ−モバイル交換センタ、  
ＭＳＩＤ−移動局ＩＤ、  
ＰＡＰ−パスワード認証プロトコル、  
ＰＤＳＮ−パケットデータサービングノード、  
ＲＡＤＩＵＳ−遠隔認証ダイヤルインユーザサービス、
ＲＡＮ−無線アクセスネットワーク、  
ＶＬＲ−ビジターロケータレジスタ、  
を含む。
【００２６】
移動局は、例えば、パーソナルデジタルアシスタント（ＰＤＡ）、ノートブックコンピュータ、携帯電話、二方式通信デバイス、ページャ等（このリストは、典型的であり、完全ではないことが意図されている）のような無線アクセスネットワークにアクセスすることが可能な任意の無線デバイスを含んでいることが気付かれるべきである。当該技術分野における通常の技能を持つ者であれば、その他多くのデバイスが、ＲＡＮに接続することができるか、又はＲＡＮにアクセスするように適用され、本発明の幾つかの実施例の範囲及び教示の範囲内にあることを認め、理解するであろう。更に、ＭＳが動作するシステムのタイプは限定されず、ＣＤＭＡ、ＴＤＭＡ、ＧＳＭ（登録商標）、又はその他のタイプの無線通信システムを含みうる。
【００２７】
移動局によって要求されうるサービスは、例えば、限定される訳ではないが、音声送信、音声メール、電子メール、テキストメッセージ、インスタントメッセージ、インターネットアクセス、テレフォニー、ストリーミングオーディオ、ストリーミングビデオ、オンラインゲーム、インターネットラジオ等のような音声又はデータかの何れかのパケットタイプサービスを含みうる。
【００２８】
図２には、本発明の一つの実施例に従ってローカルネットワークシステムと通信するローミング無線移動局の概要図が示されている。読者は、参照番号１１０，１１５，１２０，１３０，１４０，１５０，１６０，１７０が、図１において同じく符番された項目に一致していることに気付くべきである。
【００２９】
この実施例では、ＭＳ１１０は、ＲＡＮ１１５を経由してＰＤＳＮ１３０と再び通信する。ＰＤＳＮ１３０は、ローカルＲＡＤＩＵＳサーバ１５０と通信する。この点において、このシステムの構成は、図１のシステムから分岐し始める。ホームネットワーク情報が格納されているローカルデータベースを持つことなく、ローカルＲＡＤＩＵＳサーバ１５０は、この情報を格納している遠隔の集中サーバに接続される。この情報が、ローカルＲＡＤＩＵＳサーバ１５０によって必要とされるとき、遠隔の集中サーバに要求が送られる。そして、この集中サーバは、この情報に応答する。図２では、遠隔の集中サーバは、ＣＤＧ  ＤＮＳサーバ２５０から構成されている。ローカルＲＡＤＩＵＳサーバ１５０は、ローカルＤＮＳサーバ２２０と、通常のＤＮＳ階層２４０とを介してＣＤＧ  ＤＮＳサーバ２５０に接続されている。
【００３０】
一つの実施例では、遠隔集中サーバによって格納されたホームネットワーク情報は、（ローカルサーバのサービスへのアクセスを要求している）ＭＳのＭＳＩＤプレフィックスから、ＭＳのホームネットワーク名へのマッピングから成っている。ＲＡＤＩＵＳサーバ１５０は、モバイル識別番号（ＭＩＮ）、国際ローミングＭＩＮ（ＩＲＭ）、又は国際移動電話加入者識別番号（ＩＭＳＩ）でありうる移動局ＩＤ（ＭＳＩＤ）を利用して、音声サービスのためのＭＳのホームネットワークを決定する。例えば、ＭＩＮの最初の６桁は、キャリア名にマップされる。図２の実施例では、ＭＳＩＤからホームへのネットワークマッピングテーブルが、単一組織の権限の下、ＤＮＳサーバ内に格納され、集中的に保持される。
【００３１】
この遠隔の集中サーバは、単一のサーバ又はデータベースから成っている必要はないが、システムのサイズ及び必要性に依存して、分散型データベース又はサーバシステムでありうることが気付かれるべきである。例えば、この遠隔集中データベースは、複数の一次サイト又は二次サイトにミラー化され、一次サーバが故障したか、あるいは高トラフィック条件によって性能が低下した場合に、バックアップ容量、サーバ冗長性、又は増加した性能が提供される。この遠隔集中サーバ（例えば、ＣＤＧ  ＤＮＳサーバ）は、ホームネットワーク情報にアクセスするローカルＲＡＤＩＵＳサーバの数よりも少ない数からなることが予期されている。
【００３２】
図２に示す集中管理されたサーバは、ＣＤＧの権限の下にあるにも関わらず、この必要性は、その他の実施例における場合である必要はないこともまた気付かれるべきである。この集中サーバは、産業界、営利事業、非営利組織、あるいは個人の中の標準的な組織を含む他のエンティティによって維持される。ここで、ＣＤＧに対する参照（例えば、「ＣＤＧ  ＤＮＳサーバ」及び「ｃｄｇ．ｏｒｇ」）は、本発明開示に従って集中サーバ又はサーバシステムを保持しているような任意のエンティティを参照するために広く解釈されるべきである。
【００３３】
本発明開示におけるその他の用語に対する参照もまた、別の方法で具体化されていないのであれば、広く解釈されるべきである。例えば、「ＰＡＰ」に対する参照は、単一の具体的なプロトコルではなく、（例えば、ＰＡＰ、ＣＨＡＰ等のような）任意の適切な認証プロトコルの使用を教えるものと解釈されるべきである。同様に、「ＲＡＤＩＵＳ」サーバに対する参照は、種々異なるタイプの遠隔又はローミングアクセス（例えばＶＬＲのような）サーバをカバーするものと解釈されるべきであり、「ＭＳＩＤ」に対する参照は、説明されたローミングデバイスに対応する種々のタイプの識別情報をカバーするものと解釈されるべきである。
【００３４】
一つの実施例では、ローミングＭＳ１１０が、インターネットアクセスを要求し、許可を得るために、公開利用可能な（ホームネットワークによってＭＳに与えられた）ユーザ名及びパスワードを、ＰＡＰを経由してローカルサービングネットワークへと送る。ＭＳ１１０のＭＳＩＤは、ＭＳ１１０とＰＤＳＮ１３０との間で接続が確立されたとき、ＰＤＳＮ１３０と通信がなされている。ＰＤＳＮ１３０は、ＲＡＤＩＵＳアクセス要求１４０を、ローカルＲＡＤＩＵＳサーバ１５０に送る。ＲＡＤＩＵＳアクセス要求１４０は、ＭＳのユーザ名、パスワード、及びＭＳＩＤを含んでいる。
【００３５】
ローカルＲＡＤＩＵＳサーバ１５０は、ＤＮＳクエリ２１０をローカルＤＮＳサーバ２２０に送る。この実施例では、ローカルＤＮＳサーバ２２０は、インターネットＤＮＳ階層２４０との間の接続及び送信を単に管理するために用いられる一般的なサーバである。ローカルＤＮＳサーバ２２０は、ＣＤＧ  ＤＮＳサーバ２５０へリンクを提供するインターネットＤＮＳ階層２４０へＤＮＳクエリ２３０を送信する。このＤＮＳクエリ２３０は、ＤＮＳサーバ２５０へ転送される。ＤＮＳサーバ２５０は、この場合、ＣＤＧによって保持されている。
【００３６】
ＤＮＳサーバ２５０が、ＭＳＩＤプレフィックスからホームネットワークのドメイン名へのマッピングを持っているのであれば、ＤＮＳサーバ２５０は、このホームネットワークのドメイン名を含んでいるＤＮＳ応答２６０を返す。いくつかの実施例では、ローカルＲＡＤＩＵＳサーバとＤＮＳサーバとは、このＤＮＳ応答を経由して与えられたＭＳＩＤからホームネットワークへのマッピングをキャッシュする。この情報のキャッシュは、本システムが、ＤＮＳクエリ及び応答に対して要求される時間を取り除くことによって、未来のアクセス要求を許可するか否かをより迅速に判定することを可能にする。ホームネットワーク情報のキャッシュは、あらゆる適切なキャッシング方針に従って保持及び廃棄される。
【００３７】
ＤＮＳ応答を受信すると、ローカルＲＡＤＩＵＳサーバ１５０は、ＭＳ１１０によるアクセスを、様々な方法で、許可するか否かを決定することができる。例えば、一つの実施例では、ローカルＲＡＤＩＵＳサーバ１５０は、ＤＮＳ応答で識別されたホームネットワークを、ローカルに格納されたローミング合意のセットと比較する。ローミング合意の各々は、ローカルサービングネットワークが、ローミングサービスを提供するための合意を持つ対応するホームネットワークを識別する。ＤＮＳ応答で識別されたホームネットワークが、ローカルサービングネットワークがローミング合意を持つホームネットワークの中に含まれているのであれば、ローカルＲＡＤＩＵＳサーバは、ＭＳが、それぞれのローミング合意に従って、要求したサービスにアクセスすることを許可するであろう。ローミング合意は、それぞれのホームネットワークに関連付けられた全てのユーザによるアクセスを許可するか、又は適切なユーザ名／パスワードがユーザによって提供されていることを必要とする。もし適切ならば、ローカルＲＡＤＩＵＳサーバ１５０は、ＲＡＤＩＵＳアクセス受諾１６０をＰＤＳＮ１３０に送る。そして、ＰＤＳＮ１３０は、ＰＡＰアクノレッジメントをＭＳ１１０に送る。
【００３８】
別の実施例では、ＤＮＳ応答で識別されたホームネットワークを、ローミング合意が存在するホームネットワークと比較するのではなく、ローカルＲＡＤＩＵＳサーバは、単に、ホームネットワークのためのＲＡＤＩＵＳサーバにコンタクトすることができる。ホームネットワークのためのＲＡＤＩＵＳサーバが、ＭＳによって要求されたアクセスの許可を承認するのであれば、対応する応答が、ローカルＲＡＤＩＵＳサーバへ提供されるであろう。そして、ローカルＲＡＤＩＵＳサーバは、ＭＳによって要求されたアクセスを許可するであろう。
【００３９】
ＭＳに関連付けられたホームネットワークの識別表示に基づいて、ＭＳへのアクセスを許可するかを決定するこれら二つの方法は、その他の実施例では、組み合わされることができることに気付かれるべきである。一つの可能な実施例では、ＣＤＧ  ＤＮＳサーバからのＤＮＳ応答を受け取った後、ローカルＲＡＤＩＵＳサーバは、一つの方法を試し、次に別の方法を試して良い。例えば、ローカルＲＡＤＩＵＳサーバは、先ず、このホームネットワークが、ローカルネットワークがローミング合意を持つネットワーク内に含まれているのかを判定する。ホームネットワークとのローミング合意があるのであれば、アクセスが許可される。ホームネットワークとのローミング合意が無いのであれば、ローカルＲＡＤＩＵＳサーバは、ホームネットワークのＲＡＤＩＵＳサーバにコンタクトし、アクセスが許可されるべきかを判定する。ホームＲＡＤＩＵＳサーバが許可を承認するならば、ローカルＲＡＤＩＵＳサーバは、許可応答をＰＤＳＮに送る。ホームＲＡＤＩＵＳサーバが許可を認証しないのであれば、ローカルＲＡＤＩＵＳサーバは、アクセスを拒否する応答をＰＤＳＮに送る。
【００４０】
更なる実施例では、ＭＳ１１０が音声サービスを希望するのであれば、ＭＳ１１０を認証し、ＭＳホームキャリアを決定するためのプロセスは、インターネットアクセスのための上述したもの（すなわち、パケットデータサービス）と本質的に同じである。図３を参照して、図３に示す音声サービスのために記述された方法と、図２に示すようなインターネットアクセスとの間の相違のみが説明されることを、読者は気付くべきである。
【００４１】
ＭＳ１１０アクセス要求が、ビジターロケータレジスタ（ＶＬＲ）クエリ３３０を生成し、ＶＬＲ３４０に送るモバイル交換センタ（ＭＳＣ）３２０に対してなされる。ＶＬＲ３４０はＭＳのＭＳＩＤ３１０を受け取り、ＤＮＳクエリを生成する。これは、キャリア（すなわち、ＭＳのホームキャリア）のドメイン名を使って応答するＣＤＧ  ＤＮＳサーバ２５０へ送信される。そして、ＶＬＲ３４０は、ホームロケータレジスタ（ＨＬＲ）クエリ３５０を生成し、ＨＬＲ３６０に送信する。ＨＬＲ３６０は、ＣＤＧ  ＤＮＳサーバ２５０によって識別されたＭＳ１１０のホームキャリアに関連付けられている。ＨＬＲ３６０は、ＨＬＲ応答３７０をＶＬＲ３４０に送信する。一方、ＶＬＲ３４０は、ＶＬＲ応答３８０をＭＳ１１０に送信する。この実施例では、ＤＮＳサーバ２５０とＶＬＲ３２０とは、ＤＮＳサーバ応答のキャッシュも行う。
【００４２】
その他全ての局面において、図２及び図３によって示された本発明の実施例は、本質的に同じである。
【００４３】
上述したように、サービングネットワークのＲＡＤＩＵＳサーバは、ＭＳＩＤに基づいてＤＮＳクエリを生成し、ＭＳのホームネットワーク情報を含むＤＮＳ応答を受け取る。ＭＳＩＤは通常、ＭＳによってＰＤＳＮへ送信される。従って、ＭＳＩＤは、便利に取得され、クエリを生成するために使用され、ホームネットワークキャリアが決定される。ＭＳＩＤの最初の数ビットは通常、キャリアに関連付けられることが可能であり、ＰＤＳＮ１３０によって取得され、ローカルＲＡＤＩＵＳサーバ１５０へ転送されるクエリを生成するために使用される。
【００４４】
もしもＭＳＩＤがＭＩＮから成っているのであれば、初めの６桁をキャリアに関連付けることができ、最初の桁が２と９との間になるように定義される。ＩＲＭの場合、初めの４桁をキャリアに関連付けることができ、最初の桁は、０又は１の何れかになるように定義される。ＩＭＳＩの場合、初めの５桁をキャリアに関連付けることができる。
【００４５】
図４Ａ乃至図４Ｄは、上述したようにＤＮＳクエリに含まれるための幾つかの桁アレイに解析された移動局１１０ＭＳＩＤの概要図を示している。図４ＡのＭＳＩＤアレイ４１０は、一般的なアレイを示す。ここでは、ｂｎが、移動局１１０ＭＳＩＤの取得された最初の桁を示し、ｂｉが、ＭＳＩＤのｉ番目の桁を示す。参照番号４２０は、ＤＮＳクエリに含まれるために、桁の順番が逆にされた桁のアレイを示している。このシナリオでは、ＤＮＳクエリは、アレイ４１０に関してｂｉ．．．ｂｎ  ｍｓｉｄ．ｃｄｇ．ｏｒｇの形式をとり、アレイ４２０に関してｂｎ．．．ｂｉ  ｍｓｉｄ．ｃｄｇ．ｏｒｇの形式をとる（ここで、ｃｄｇ．ｏｒｇは単に、ＤＮＳサーバがある典型的なドメイン名である）。
【００４６】
図４Ｂは、ＭＩＮのためのＭＳＩＤ取得アレイ４３０の概要図である。ここでは、ＤＮＳクエリ名が、ｂ６．ｂ５．ｂ４．ｂ３．ｂ２．ｂ１．ｍｉｎ．ｃｄｇ．ｏｒｇの形式をとる。ここで、ｂｉは、ＭＩＮのｉ番目のビットである。
【００４７】
図４Ｃは、ＩＭＳＩのためのＭＳＩＤ取得アレイの概要図である。ここでは、ＤＮＳクエリ名がｂ５．ｂ４．ｂ３．ｂ２．ｂ１．ｉｍｓｉ．ｃｄｇ．ｏｒｇの形式をとる。ここで、ｂｉは、ＩＭＳＩのｉ番目のビットである。
【００４８】
図４Ｄは、ＩＲＭのためのＭＳＩＤ取得アレイの概要図である。ここでは、ＤＮＳクエリ名がｂ４．ｂ３．ｂ２．ｂ１．ｉｒｍ．ｃｄｇ．ｏｒｇの形式をとる。ここで、ｂｉは、ＩＲＭのｉ番目のビットである。
【００４９】
代替実施例では、ＤＮＳ名は、ＭＩＮ、ＩＲＭ、及びＩＭＳＩそれぞれについてｂ１ｂ２ｂ３ｂ４ｂ５ｂ６．ｍｉｎ．ｃｄｇ．ｏｒｇ（図４Ｂの４４０参照）、ｂ１ｂ２ｂ３ｂ４．ｉｒｍ．ｃｄｇ．ｏｒｇ（図４Ｄの４８０参照）、及びｂ１ｂ２ｂ３ｂ４ｂ５．ｉｍｓｉ．ｃｄｇ．ｏｒｇ（図４Ｃの４６０参照）として形成することができる。
【００５０】
ＤＮＳクエリは、ＤＮＳ階層を通じて、ｃｄｇ．ｏｒｇによって許可されたＤＮＳサーバへ転送される。ＤＮＳサーバは、ＤＮＳリソースレコードの形式によるＭＳＩＤからホームネットワークへのマッピングを含む。ＭＳＩＤプレフィックスビットがホームネットワークに対して分解されているのであれば、このＤＮＳサーバは、ホームネットワークのドメイン名を含むＤＮＳ応答を用いて応答する。例えば、ＩＲＭプレフィックスビットが１９１８であれば、ＤＮＳクエリ内の名前は、受け取られた８．１．９．１．ｉｒｍ．ｃｄｇ．ｏｒｇである。このＤＮＳサーバは、８．１．９．１．ｉｒｍを、ＩＲＭプレフィクス１９１８を所有するＫＤＤＩのドメイン名であるｋｄｄｉ．ｃｏｍにマッピングするリソースレコードを持っている。従って、ＤＮＳ応答は、ｋｄｄｉ．ｃｏｍを含む。
【００５１】
図５は、ドメイン名要求を作成し、インターネット５４０を経由してＣＤＧ  ＤＮＳサーバ５５０へ転送する複数のローカルキャリア５１０，５２０，５３０の概要図である。この図は、集中サーバ内のホームネットワーク情報の結合を例示するのに役立つ。ホームネットワーク情報のうちの何れかが、更新を要するのであれば、新たなデータを単に、ＣＤＧ  ＤＮＳサーバ５５０内に格納することができる。ローカルネットワーク５１０，５２０，５３０の各々におけるデータを更新する必要は無い。特定のＭＳに関連付けられたホームネットワークを識別するために、これらローカルネットワークのうちの何れかが、ホームネットワーク情報にアクセスする必要がある場合には、この情報が、適切なＤＮＳクエリを経由して、ＣＤＧ  ＤＮＳサーバ５５０から検索される。
【００５２】
多くの変形例が、特許請求の範囲で示されるような本発明の範囲から逸脱することなく、上述した実施例で実現されることが気付かれるべきである。これら変形例のうちのいくつかは上述された。例えば、ＭＳに関連付けられたホームネットワークの識別を受け取ると、ローカルＲＡＤＩＵＳサーバは、ローカルに格納されたローミング合意を確認するか、あるいは、ホームネットワークに関連付けられたＲＡＤＩＵＳサーバにコンタクトして、ＭＳによるローカルネットワークアクセスを許可するか否かを決定する。別の変形例は、ＭＳによるアクセスを許可するためにユーザ名／パスワードを使用することを含む。これらユーザ名／パスワードの使用は、必要であるかも、又はないかもしれず、もしも使用された場合には、ユニーク又はユニークではないユーザ名／パスワードからなる。また、別の変形例は、更に、対応するホームネットワークを識別する目的のためのＭＳの識別表示に関する。前述した実施例の記載は、ＭＩＮ，ＩＲＭ，又はＩＭＳＩ  ＭＩＳＤ情報の潜在的な使用を指摘しているが、ＭＳを識別するために、代わりに他のタイプの情報が使用されうる。これら異なるタイプの識別情報に基づくＤＮＳクエリの多くの変形例もまた上述された。これらの例も同様に、本発明の種々の実施例の広い範囲、及び可能な変形例の例示が意図されている。従って、本説明に明示的に含まれていない変形例もやはり、本説明を読むことによって、当該技術分野における熟練者には明らかになり、よって、本説明及び特許請求の範囲内であると考えられることが気付かれるべきである。
【００５３】
上記では詳しく説明されていないが、上述した機能は、デバイスそれぞれの処理サブデバイス内で実行される適切なプログラムを提供することによって、上述したサーバ内で実現されうることが気付かれるべきである。これらのプログラム手順は、一般に、それぞれの処理サブシステムにより読取可能である記憶媒体内に組み込まれている。典型的な記憶媒体は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該技術分野で知られた他の形式の記憶媒体を含む。上述した機能を実現するためのプログラム手順を組み込んだ記憶媒体は、本発明の代替実施例を含む。
【００５４】
当技術分野における熟練者であれば、これら情報および信号が、種々異なった技術や技法を用いて表されることを理解するであろう。例えば、上述した記載の全体で引用されているデータ、指示、命令、情報、信号、ビット、シンボル、およびチップは、電圧、電流、電磁波、磁場または磁性粒子、光学場または光学微粒子、あるいはこれら何れかの組み合わせによって表現されうる。
【００５５】
これら熟練者であれば、更に、ここで開示された実施例に関連して記載された様々な説明的論理ブロック、モジュール、回路、およびアルゴリズムステップが、電子工学ハードウェア、コンピュータソフトウェア、あるいはこれらの組み合わせとして実現されることを理解するであろう。ハードウェアとソフトウェアとの相互互換性を明確に説明するために、様々に例示された部品、ブロック、モジュール、回路、およびステップが、それらの機能に関して一般的に記述された。それら機能がハードウェアとして又はソフトウェアとして実現されているかは、特定のアプリケーション及びシステム全体に課せられている設計制約に依存する。熟練した技術者であれば、各特定のアプリケーションに応じて変更した方法で上述した機能を実施しうる。しかしながら、この適用判断は、本発明の範囲から逸脱したものと解釈されるべきではない。
【００５６】
ここで開示された実施例に関連して記述された様々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００５７】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。 好適な記憶媒体は、プロセッサがそこから情報を読み取り、またそこに情報を書き込むことができるようにプロセッサに結合される。
【００５８】
または、記憶媒体はプロセッサに統合されうる。このプロセッサと記憶媒体は、ＡＳＩＣ内に存在することができる。ＡＳＩＣは、ユーザ端末内に存在することもできる。あるいはこのプロセッサと記憶媒体は、ユーザ端末内のディスクリート部品として存在しうる。
【００５９】
開示された実施例における上述の記載は、当該技術分野におけるいかなる人であっても、本発明の活用または利用を可能とするように提供される。これらの実施例への様々な変形例もまた、当該技術分野における熟練者に対しては明らかであって、ここで定義された一般的な原理は、本発明の主旨または範囲を逸脱せずに他の実施例にも適用されうる。このように、本発明は、ここで示された実施例に制限されるものではなく、ここで記載された原理と新規の特徴に一致した最も広い範囲に相当するものを意図している。
【図１】
2011130455.tif 000003
【図２】
2011130455.tif 000004
【図３】
2011130455.tif 000005
【図４Ａ】
2011130455.tif 000006
【図４Ｂ】
2011130455.tif 000007
【図４Ｃ】
2011130455.tif 000008
【図４Ｄ】
2011130455.tif 000009
【図５】
2011130455.tif 000010
【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
ホームネットワークと、前記ホームネットワークと移動局との関連付けとに関する情報を含む集中データベースを集中して保持することと、
前記集中データベースを複数のローカルサーバに接続することと、
前記複数のローカルサーバのうちの一つから問い合わせを受け取ることであって、前記問い合わせは、前記ローカルサーバに関連付けられたローカルネットワークへのアクセスを要求する第一の移動局に関連付けられた識別情報を含むことと、前記ホームネットワークと、前記ホームネットワークと移動局との関連付けとに関する情報は、一つ又は複数の移動局に関連付けられた識別情報の、前記一つ又は複数の移動局に関連付けられた一つ又は複数のホームネットワークへのマッピングを含む、
前記第一の移動局に関連付けられたホームネットワークを識別することと、
前記マッピングをキャッシュすることと、
を含む方法。
【請求項２】
前記移動局に関連付けられた識別情報の前記ホームネットワークへのマッピングは、移動局識別番号（ＭＳＩＤ）のホームネットワークへのマッピングを含む請求項１に記載の方法。
【請求項３】
前記移動局識別番号（ＭＳＩＤ）は、モバイル識別番号（ＭＩＮ）、国際ローミングモバイル識別番号（ＩＲＭ）、及び国際移動電話加入者識別番号（ＩＭＳＩ）からなるグループから選択される請求項２に記載の方法。
【請求項４】
一つ又は複数の追加ローカルサーバからの問い合わせを受け取ることであって、前記問い合わせは、前記追加ローカルサーバに関連付けられた一つ又は複数の追加ローカルネットワークへのアクセスを要求する一つ又は複数の追加移動局に関連付けられた識別情報を含むことと、
前記追加移動局に関連付けられた一つ又は複数の追加ホームネットワークを識別することと
を含む請求項１に記載の方法。
【請求項５】
ホームネットワークと、前記ホームネットワークと移動局との関連付けとに関する情報を含む集中データベースを集中して保持することと、
複数のローカルサーバから問い合わせを受け取ることであって、前記問い合わせの各々は、対応するローカルサーバに関連付けられた対応するローカルネットワークへのアクセスを要求する移動局に関連付けられた識別情報を含むことと、
前記問い合わせで識別された移動局に関連付けられたホームネットワークを識別することと、
一つ又は複数の移動局に関連付けられた識別情報の、前記一つ又は複数の移動局に関連付けられた一つ又は複数のホームネットワークへのマッピングを格納することと、
を行うように構成された集中サーバを備えた装置。
【請求項６】
前記移動局に関連付けられた識別情報の前記ホームネットワークへのマッピングは、移動局識別番号（ＭＳＩＤ）のホームネットワークへのマッピングを含む請求項５に記載の装置。
【請求項７】
前記移動局識別番号は、モバイル識別番号（ＭＩＮ）、国際ローミングモバイル識別番号（ＩＲＭ）、及び国際移動電話加入者識別番号（ＩＭＳＩ）からなるグループから選択される請求項６に記載の装置。
【手続補正２】
【補正対象書類名】明細書
【補正対象項目名】００５９
【補正方法】変更
【補正の内容】
【００５９】
開示された実施例における上述の記載は、当該技術分野におけるいかなる人であっても、本発明の活用または利用を可能とするように提供される。これらの実施例への様々な変形例もまた、当該技術分野における熟練者に対しては明らかであって、ここで定義された一般的な原理は、本発明の主旨または範囲を逸脱せずに他の実施例にも適用されうる。このように、本発明は、ここで示された実施例に制限されるものではなく、ここで記載された原理と新規の特徴に一致した最も広い範囲に相当するものを意図している。
以下に本願出願の当初の特許請求の範囲について記載された発明を付記する。
［１］
移動局によるローカルネットワークへのローミングアクセスに対する要求を受信することと、
遠隔集中サーバにアクセスし、前記移動局に関連付けられたホームネットワークを決定することと、
前記移動局に関連付けられたホームネットワークの決定に少なくとも部分的に基づいて、前記移動局による前記ローカルネットワークへのアクセスを許可又は拒否することとを含む方法。
［２］
ローカル遠隔認証ダイヤルインユーザサービス（ＲＡＤＩＵＳ）サーバ内で実施される［１］に記載の方法。
［３］
ビジターロケータレジスタ（ＶＬＲ）内で実施される［１］に記載の方法。
［４］
前記遠隔集中サーバにアクセスすることは、集中化されたドメイン名サーバ（ＤＮＳ）に問い合わせることを含む［１］に記載の方法。
［５］
前記集中化されたドメイン名サーバに問い合わせることは、前記集中化されたドメイン名サーバへの配信のために、問い合わせをフォーマットすることを含み、前記問い合わせは、前記移動局に関連付けられた識別情報を含む［４］に記載の方法。
［６］
前記識別情報は、移動局識別番号（ＭＳＩＤ）を含む［５］に記載の方法。
［７］
前記移動局識別番号は、モバイル識別番号（ＭＩＮ）、国際ローミングモバイル識別番号（ＩＲＭ）、及び国際移動電話加入者識別番号（ＩＭＳＩ）からなるグループから選択される［６］に記載の方法。
［８］
対応する移動局ユーザが、ローミング合意によって、前記ローカルネットワークへアクセスする許可を持っている一つ又は複数のネットワークの中に、前記移動局に関連付けられたホームネットワークがあるのかを判定することを更に含む［１］に記載の方法。
［９］
前記移動局に関連付けられたホームネットワークに関連付けられた遠隔認証ダイヤルインユーザサービス（ＲＡＤＩＵＳ）サーバに問い合わせを行い、前記移動局が前記ローカルネットワークにアクセスすることが許可されたかを判定することを更に備えた［１］に記載の方法。
［１０］
前記遠隔集中サーバにアクセスすることに応答して受け取られた情報をキャッシュすることを更に含む［１］に記載の方法。
［１１］
ホームネットワークと、前記ホームネットワークと移動局との関連付けとに関する情報を含む集中データベースを保持することと、
前記集中データベースを複数のローカルサーバに接続することと、
前記複数のローカルサーバのうちの一つから問い合わせを受け取ることであって、前記問い合わせは、前記ローカルサーバに関連付けられたローカルネットワークへのアクセスを要求する第一の移動局に関連付けられた識別情報を含むことと、
前記第一の移動局に関連付けられたホームネットワークを識別することと
を含む方法。
［１２］
前記ホームネットワークと、前記ホームネットワークと移動局との関連付けとに関する情報は、一つ又は複数の移動局に関連付けられた識別情報の、前記一つ又は複数の移動局に関連付けられた一つ又は複数のホームネットワークへのマッピングを含む［１１］に記載の方法。
［１３］
前記移動局に関連付けられた識別情報の前記ホームネットワークへのマッピングは、移動局識別番号（ＭＳＩＤ）のホームネットワークへのマッピングを含む［１２］に記載の方法。
［１４］
前記移動局識別番号（ＭＳＩＤ）は、モバイル識別番号（ＭＩＮ）、国際ローミングモバイル識別番号（ＩＲＭ）、及び国際移動電話加入者識別番号（ＩＭＳＩ）からなるグループから選択される［１３］に記載の方法。
［１５］
一つ又は複数の追加ローカルサーバからの問い合わせを受け取ることであって、前記問い合わせは、前記追加ローカルサーバに関連付けられた一つ又は複数の追加ローカルネットワークへのアクセスを要求する一つ又は複数の追加移動局に関連付けられた識別情報を含むことと、
前記追加移動局に関連付けられた一つ又は複数の追加ホームネットワークを識別することと
を含む［１１］に記載の方法。
［１６］
ローカルネットワークに関連付けられたローカルサーバを備え、
前記ローカルサーバは、
前記ローカルネットワークへのローミングアクセスに対する移動局による要求を受け取り、遠隔集中サーバにアクセスし、前記移動局に関連付けられているホームネットワークを判定し、
前記移動局に関連付けられたホームネットワークの識別に少なくとも部分的に基づいて、前記移動局による前記ローカルネットワークへのアクセスを許可又は拒否する
ように構成された装置。
［１７］
前記ローカルサーバは、遠隔認証ダイヤルインユーザサービス（ＲＡＤＩＵＳ）サーバを備えた［１６］に記載の装置。
［１８］
前記ローカルサーバは、ビジターロケータレジスタ（ＶＬＲ）を備えている［１６］に記載の装置。
［１９］
前記ローカルサーバは、ドメイン名サーバ（ＤＮＳ）問い合わせを生成し、前記問い合わせを、集中化されたドメイン名サーバへ送信するように構成されている［１６］に記載の装置。
［２０］
前記ローカルサーバは、前記移動局に関連付けられた識別情報を含めるように、前記ドメイン名サーバ問い合わせをフォーマットするように構成された［１９］に記載の装置。
［２１］
前記識別情報は、移動局識別番号（ＭＳＩＤ）を含む［２０］に記載の装置。
［２２］
前記移動局識別番号は、モバイル識別番号（ＭＩＮ）、国際ローミングモバイル識別番号（ＩＲＭ）、及び国際移動電話加入者識別番号（ＩＭＳＩ）からなるグループから選択される［２１］に記載の装置。
［２３］
前記ローカルサーバは、ローミング合意情報を格納するように構成されたローカル記憶装置を更に備え、
前記ローカルサーバは、対応する移動局ユーザが、ローミング合意によって、前記ローカルネットワークへアクセスする許可を持っている一つ又は複数のネットワークの中に、前記移動局に関連付けられたホームネットワークがあるのかを判定するように構成された［１６］に記載の装置。
［２４］
前記ローカルサーバは、前記移動局に関連付けられた前記ホームネットワークに関連付けられた遠隔認証ダイヤルインユーザサービス（ＲＡＤＩＵＳ）サーバに接続されており、
前記ローカルサーバは、前記遠隔認証ダイヤルインユーザサービス（ＲＡＤＩＵＳ）サーバに問い合わせを行い、前記移動局が前記ローカルネットワークへアクセスすることが許可されたのかを判定するように構成された［１６］に記載の装置。
［２５］
前記ローカルサーバは、前記遠隔集中サーバにアクセスすることに応答して受け取られた情報をキャッシュするように構成されたローカル記憶装置を更に備えた［１６］に記載の装置。
［２６］
ホームネットワークと、前記ホームネットワークと移動局との関連付けとに関する情報を含む集中データベースを保持することと、
複数のローカルサーバから問い合わせを受け取ることであって、前記問い合わせの各々は、対応するローカルサーバに関連付けられた対応するローカルネットワークへのアクセスを要求する移動局に関連付けられた識別情報を含むことと、
前記問い合わせで識別された移動局に関連付けられたホームネットワークを識別することと
を行うように構成された集中サーバを備えた装置。
［２７］
前記集中サーバは、一つ又は複数の移動局に関連付けられた識別情報の、前記一つ又は複数の移動局に関連付けられた一つ又は複数のホームネットワークへのマッピングを格納するように構成された［２６］に記載の装置
［２８］
前記移動局に関連付けられた識別情報の前記ホームネットワークへのマッピングは、移動局識別番号（ＭＳＩＤ）のホームネットワークへのマッピングを含む［２７］に記載の装置。
［２９］
前記移動局識別番号は、モバイル識別番号（ＭＩＮ）、国際ローミングモバイル識別番号（ＩＲＭ）、及び国際移動電話加入者識別番号（ＩＭＳＩ）からなるグループから選択される［２８］に記載の装置。
【外国語明細書】
2011130455000001.pdf